【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
仕上げ塗装（ｃｌｅａｒｃｏａｔ）／ポリマーフィルム二重層を含むガラス積層体であって、前記仕上げ塗装が、成分（１）および（２）の組み合わせから得られる傷防止コーティング組成物であり、成分（１）が、ヒドロキシル官能性または無水物官能性のいずれかであるオリゴマー化合物からなる群より選択されるオリゴマー化合物を含み、成分（２）が、イソシアネートオリゴマーまたはエポキシ官能性の化合物のいずれかであることを特徴とするガラス積層体。
【請求項２】
ポリマーフィルム上に仕上げ塗装を含む物品であって、前記仕上げ塗装が、成分（１）および（２）の組み合わせを０．９０を超える当量比で混合した生成物であり、成分（１）が、ヒドロキシル官能性または無水物官能性のいずれかであるオリゴマー化合物からなる群より選択されるオリゴマー化合物を含み、成分（２）が、イソシアネートオリゴマーまたはエポキシ官能性化合物のいずれかであることを特徴とする物品。
【請求項３】
ガラス積層物品の製造方法であって、（ａ）２つの成分（１）および（２）を混合して仕上げ塗装組成物を得る工程と、（ｂ）前記仕上げ塗装組成物を、ポリマーフィルムの少なくとも２つの表面の一方の表面上に塗布することによって前記ポリマーフィルムにコーティングする工程と、（ｃ）前記ポリマーフィルムの前記表面上の前記仕上げ塗装組成物を硬化させて、前記ポリマーフィルムの少なくとも一方の表面が露出している、硬化した仕上げ塗装／ポリマーフィルム二重層フィルムを得る工程と、（ｄ）前記硬化した二重層フィルムの前記露出したポリマー表面を、少なくとも１つのガラス層を含む積層物（ｓｔａｃｋ）に積層してガラス積層体を得る工程とを含み、前記仕上げ塗装組成物が傷防止コーティング組成物であり、成分（１）が、ヒドロキシル官能性または無水物官能性のいずれかであるオリゴマー化合物からなる群より選択されるオリゴマー化合物を含み、成分（２）が、イソシアネートオリゴマーまたはエポキシ官能性化合物のいずれかであることを特徴とする方法。
【請求項４】
透明な積層体の表面から欠陥を除去する方法であって、前記積層体の前記欠陥を有する表面を少なくとも７０℃に加熱する工程を含み、前記表面が、少なくとも０．９０の当量比［成分（１）：成分（２）］で２つの成分（１）および（２）を混合することによって得られる仕上げ塗装を含み、成分（１）が、ヒドロキシル官能性または無水物官能性のいずれかであるオリゴマー化合物からなる群より選択されるオリゴマー化合物を含み、成分（２）が、イソシアネートオリゴマーまたはエポキシ官能性の化合物のいずれかであることを特徴とする方法。
【手続補正２】
【補正対象書類名】明細書
【補正対象項目名】００２５
【補正方法】変更
【補正の内容】
【００２５】
本発明の積層体は、フロントガラスおよび／またはサイドライト（ｓｉｄｅｌｉｔｅ）および／またはムーンルーフなどとして自動車において有用となりうる。本発明の積層体は、建築物などの建築用途においても特に有用となりうる。本発明の積層体は、容易に清浄にすることができ、剥落、および発射体による貫入に対して抵抗性である。
以下に本明細書に記載された発明につき列記する。
１．  仕上げ塗装（ｃｌｅａｒｃｏａｔ）／ポリマーフィルム二重層を含むガラス積層体であって、前記仕上げ塗装が、成分（１）および（２）の組み合わせから得られる傷防止コーティング組成物であり、成分（１）が、ヒドロキシル官能性または無水物官能性のいずれかであるオリゴマー化合物からなる群より選択されるオリゴマー化合物を含み、成分（２）が、イソシアネートオリゴマーまたはエポキシ官能性の化合物のいずれかであることを特徴とするガラス積層体。
２．  成分（１）が少なくとも１種のヒドロキシル含有オリゴマーであり、成分（２）が少なくとも１種のイソシアネートオリゴマーであることを特徴とする前記１．に記載の積層体。
３．  少なくとも１つの熱可塑性ポリマー層に積層された少なくとも１つのガラス層を含むことを特徴とする前記２．に記載の積層体。
４．  前記仕上げ塗装／ポリマー二重層の前記ポリマーが前記熱可塑性ポリマー層に積層されることを特徴とする前記３．に記載の積層体。
５．  前記熱可塑性ポリマーがＰＶＢまたはエチレンコポリマーのいずれかであることを特徴とする前記４．に記載の積層体。
６．  前記熱可塑性ポリマーがＰＶＢであることを特徴とする前記５．に記載の積層体。
７．  前記二重層成分の前記ポリマーがＰＥＴであることを特徴とする前記６．に記載の積層体。
８．  前記少なくとも１種のヒドロキシ含有オリゴマーが、多官能性アルコールと環状モノマー無水物との反応生成物をさらにエポキシドと反応させたものであることを特徴とする前記７．に記載の積層体。
９．  前記多官能性アルコールが、ペンタエリスリトール、ヘキサンジオール、トリメチロールプロパン、類似の化合物、またはそれらの混合物からなる群より選択されることを特徴とする前記８．に記載の積層体。
１０．  前記エポキシドが、１，２−ブチレンオキシド、２，３−ブチレンオキシド、プロピレンオキシド、エチレンオキシド、および類似の化合物、またはそれらの混合物からなる群より選択されることを特徴とする前記９．に記載の積層体。
１１．  前記ヒドロキシ含有オリゴマーがテトラヒドロキシ含有オリゴマーであることを特徴とする前記１０．に記載の積層体。
１２．  前記イソシアネートオリゴマーがヘキサメチレンジイソシアネートのイソシアヌレート三量体であることを特徴とする前記１１．に記載の積層体。
１３．  前記仕上げ塗装／ポリマーフィルム二重層が、ガラスに接着され、前記ガラスと前記二重層との間に熱可塑性ポリマー層が介在しないことを特徴とする前記１．に記載の積層体。
１４．  成分（１）が少なくとも１種のヒドロキシル含有オリゴマーであり、成分（２）が少なくとも１種のイソシアネートオリゴマーであることを特徴とする前記１３．に記載の積層体。
１５．  前記二重層成分の前記ポリマーがＰＥＴであることを特徴とする前記１４．に記載の積層体。
１６．  前記少なくとも１種のヒドロキシ含有オリゴマーが、多官能性アルコールと環状モノマー無水物との反応生成物をさらにエポキシドと反応させたものであることを特徴とする前記１５．に記載の積層体。
１７．  前記多官能性アルコールが、ペンタエリスリトール、ヘキサンジオール、トリメチロールプロパン、類似の化合物、またはそれらの混合物からなる群より選択されることを特徴とする前記１６．に記載の積層体。
１８．  前記エポキシドが、１，２−ブチレンオキシド、２，３−ブチレンオキシド、プロピレンオキシド、エチレンオキシド、および類似の化合物、またはそれらの混合物からなる群より選択されることを特徴とする前記１７．に記載の積層体。
１９．  前記ヒドロキシ含有オリゴマーがテトラヒドロキシ含有オリゴマーであることを特徴とする前記１８．に記載の積層体。
２０．  前記ヒドロキシルオリゴマーの前記イソシアネートオリゴマーに対する当量比が、相対比で０．６０を超えることを特徴とする前記１９．に記載の積層体。
２１．  前記当量比が約０．７０〜約１．５０の範囲であることを特徴とする前記２０．に記載の積層体。
２２．  前記当量比が約０．８０〜約１．４０の範囲であることを特徴とする前記２１．に記載の積層体。
２３．  前記当量比が約０．９０〜約１．３５の範囲であることを特徴とする前記２２．に記載の積層体。
２４．  前記イソシアネートオリゴマーがヘキサメチレンジイソシアネートのイソシアヌレート三量体であることを特徴とする前記２３．に記載の積層体。
２５．  ポリマーフィルム上に仕上げ塗装を含む物品であって、前記仕上げ塗装が、成分（１）および（２）の組み合わせを０．９０を超える当量比で混合した生成物であり、成分（１）が、ヒドロキシル官能性または無水物官能性のいずれかであるオリゴマー化合物からなる群より選択されるオリゴマー化合物を含み、成分（２）が、イソシアネートオリゴマーまたはエポキシ官能性化合物のいずれかであることを特徴とする物品。
２６．  前記ポリマーフィルムが、ポリウレタン、エチレン／酸コポリマー、およびＰＥＴからなる群より選択されるポリマーであることを特徴とする前記２５．に記載の物品。
２７．  前記ポリマーフィルムがＰＥＴであることを特徴とする前記２６．に記載の物品。
２８．  ポリマーフィルム上に仕上げ塗装を有する物品であって、前記仕上げ塗装が、成分（１）および（２）の組み合わせを約１．１０〜約１．３５の範囲の当量比で混合した生成物であり、成分（１）が、ヒドロキシル官能性または無水物官能性のいずれかであるオリゴマー化合物からなる群より選択されるオリゴマー化合物を含み、成分（２）が、イソシアネートオリゴマーまたはエポキシ官能性の化合物のいずれかであり、成分（１）が約３００〜約３０００の範囲の分子量を有することを特徴とする物品。
２９．  成分（１）が約４００〜約２，５００の範囲の分子量を有することを特徴とする前記２８．に記載の物品。
３０．  成分（１）が約４５０〜約２，０００の範囲の分子量を有することを特徴とする前記２９．に記載の物品。
３１．  成分（１）が約５００〜約１，５００の範囲の分子量を有することを特徴とする前記３０．に記載の物品。
３２．  ガラス積層物品の製造方法であって、（ａ）２つの成分（１）および（２）を混合して仕上げ塗装組成物を得る工程と、（ｂ）前記仕上げ塗装組成物を、ポリマーフィルムの少なくとも２つの表面の一方の表面上に塗布することによって前記ポリマーフィルムにコーティングする工程と、（ｃ）前記ポリマーフィルムの前記表面上の前記仕上げ塗装組成物を硬化させて、前記ポリマーフィルムの少なくとも一方の表面が露出している、硬化した仕上げ塗装／ポリマーフィルム二重層フィルムを得る工程と、（ｄ）前記硬化した二重層フィルムの前記露出したポリマー表面を、少なくとも１つのガラス層を含む積層物（ｓｔａｃｋ）に積層してガラス積層体を得る工程とを含み、前記仕上げ塗装組成物が傷防止コーティング組成物であり、成分（１）が、ヒドロキシル官能性または無水物官能性のいずれかであるオリゴマー化合物からなる群より選択されるオリゴマー化合物を含み、成分（２）が、イソシアネートオリゴマーまたはエポキシ官能性化合物のいずれかであることを特徴とする方法。
３３．  透明な積層体の表面から欠陥を除去する方法であって、前記積層体の前記欠陥を有する表面を少なくとも７０℃に加熱する工程を含み、前記表面が、少なくとも０．９０の当量比［成分（１）：成分（２）］で２つの成分（１）および（２）を混合することによって得られる仕上げ塗装を含み、成分（１）が、ヒドロキシル官能性または無水物官能性のいずれかであるオリゴマー化合物からなる群より選択されるオリゴマー化合物を含み、成分（２）が、イソシアネートオリゴマーまたはエポキシ官能性の化合物のいずれかであることを特徴とする方法。